(57)【要約】【課題】動画像のフレーム間に内挿する補間フレームを受信機側で生成せずに、動画像のフレームに補間フレームを内挿する装置を提供する。【解決手段】デジタル放送受信機が第１のＰＣＲを有する映像データのデータパケットを含むメインサービスのストリームと、第１のＰＣＲからずれた第２のＰＣＲを有する映像データのデータパケットを含むサブサービスのストリームとを多重化した放送電波を受信し、放送電波からメインサービスのデータパケットと、サブサービスのデータパケットとを分離し、分離されたメインサービスのデータパケットをデコードして第１のＰＣＲを有する映像データを出力し、分離されたサブサービスのデータパケットをデコードして第２のＰＣＲを有する前記映像データを出力し、第１のＰＣＲを有する映像データと第２のＰＣＲを有する映像データとを、ＰＣＲの順に従って交互に出力する。【選択図】図１
2010219907.tif 000002
【特許請求の範囲】
【請求項１】
第１のＰＣＲを有する映像データのデータパケットを含むメインサービスのストリームと、該第１のＰＣＲから該映像データのフレームレート間隔の半分の時間だけずらした第２のＰＣＲを有する該映像データのデータパケットを含むサブサービスのストリームとを多重化した放送電波を受信する受信手段と、
前記放送電波から前記メインサービスのデータパケットと、前記サブサービスのデータパケットとを分離するデマルチプレクサと、
分離されたメインサービスのデータパケットをデコードして前記第１のＰＣＲを有する前記映像データを出力する第１デコード部と、
分離されたサブサービスのデータパケットをデコードして前記第２のＰＣＲを有する前記映像データを出力する第２デコード部と、
出力された前記第１のＰＣＲを有する前記映像データと前記第２のＰＣＲを有する前記映像データとを、該第１及び第２のＰＣＲの順に従って交互に出力するビデオフレーム合成部とを有することを特徴とする
デジタル放送受信機。
【請求項２】
第１のＰＣＲを有する映像データのデータパケットを含むメインサービスのストリームと、該第１のＰＣＲから該映像データのフレームレート間隔の半分の時間だけずらした第２のＰＣＲを有する該映像データのデータパケットを含むサブサービスのストリームとを多重化した放送電波を受信し、
前記放送電波から前記メインサービスのデータパケットと、前記サブサービスのデータパケットとを分離し、
分離されたメインサービスのデータパケットをデコードして前記第１のＰＣＲを有する前記映像データを出力し、
分離されたサブサービスのデータパケットをデコードして前記第２のＰＣＲを有する前記映像データを出力し、
出力された前記第１のＰＣＲを有する前記映像データと前記第２のＰＣＲを有する前記映像データとを、該第１及び第２のＰＣＲの順に従って交互に出力することを特徴とする
デジタル放送受信方法。
【請求項３】
第１のＰＣＲを有する映像データのデータパケットを含むメインサービスのストリーム生成する手段と、
前記メインサービスのストリームの映像データのデータパケットの有する第１のＰＣＲを、該映像データのフレームレート間隔の半分の時間だけずらして第２のＰＣＲを調整して該第２のＰＣＲを有する該映像データのデータパケットを含むサブサービスのストリームを生成する手段と、
前記メインサービス及び前記サブサービスの各ストリームを一つの物理チャンネルに多重化するマルチプレクサと、
前記多重化されたストリームから放送電波を生成して送信する送信手段とを有することを特徴とする
デジタル放送送信機。
【請求項４】
第１のＰＣＲを有する映像データのデータパケットを含むメインサービスのストリーム生成し、
前記メインサービスのストリームの映像データのデータパケットの第１のＰＣＲを、該映像データのフレームレート間隔の半分の時間だけずらして第２のＰＣＲを調整して該第２のＰＣＲを有する該映像データのデータパケットを含むサブサービスのストリームを生成し、
前記メインサービス及び前記サブサービスの各ストリームを一つの物理チャンネルに多重化し、
前記多重化されたストリームから放送電波を生成して送信することを特徴とする
デジタル放送送信方法。
【請求項５】
請求項１に記載のデジタル放送受信機と、請求項３に記載のデジタル放送送信機とを備えたことを特徴とするデジタル放送送受信システム。
【発明の詳細な説明】
【技術分野】
【０００１】
本発明は、デジタル放送受信機及び受信方法並びに送信機及び送信方法に関し、特に、一つの物理チャンネルに複数のサービスが多重化された放送電波を受信可能とする技術に関する。
【背景技術】
【０００２】
近年、２００６年４月１日より開始された移動体を対象とした地上デジタル放送のワンセグメント部分受信サービス「ワンセグ」が普及している。移動時でも鮮明な映像が受信可能であることから、携帯電話だけでなく、ポータブルテレビ、カーナビゲーション、ノートパソコン、携帯型ゲーム機、ＵＳＢ接続型チューナなど、その普及は多岐に渡っている。
【０００３】
ワンセグは、デジタル放送のため移動受信に強い一方、フレームレートが１５ｆｐｓのためスポーツなど動きの激しい映像では滑らかに再生することができない弱点がある。
【０００４】
この問題を解決するための手法として、受信機側で補間フレームを生成し、動画像のフレーム間に補間フレームを内挿することで動画を滑らかにする方法がある（特許文献１参照）。
【先行技術文献】
【特許文献】
【０００５】
【特許文献１】特開２００８―２４４８４６号公報
【発明の概要】
【発明が解決しようとする課題】
【０００６】
特許文献１のように、受信機側で動画像のフレーム間に内挿する補間フレームを生成することは容易ではない。
そこで本発明は、動画像のフレーム間に内挿する補間フレームを受信機側で生成せずに、動画像のフレームに補間フレームを内挿することを可能とする、デジタル放送受信機及び受信方法並びに送信機及び送信方法を提供することを目的とする。
【課題を解決するための手段】
【０００７】
本発明によるデジタル放送受信機は、第１のＰＣＲを有する映像データのデータパケットを含むメインサービスのストリームと、該第１のＰＣＲから該映像データのフレームレートの半分の時間だけずらした第２のＰＣＲを有する該映像データのデータパケットを含むサブサービスのストリームとを多重化した放送電波を受信する受信手段と、前記放送電波から前記メインサービスのデータパケットと、前記サブサービスのデータパケットとを分離するデマルチプレクサと、分離されたメインサービスのデータパケットをデコードして前記第１のＰＣＲを有する前記映像データを出力する第１デコード部と、分離されたサブサービスのデータパケットをデコードして前記第２のＰＣＲを有する前記映像データを出力する第２デコード部と、出力された前記第１のＰＣＲを有する前記映像データと前記第２のＰＣＲを有する前記映像データとを、該第１及び第２のＰＣＲの順に従って交互に出力するビデオフレーム合成部とを有することを特徴とする。
【０００８】
本発明によるデジタル放送受信方法は、第１のＰＣＲを有する映像データのデータパケットを含むメインサービスのストリームと、該第１のＰＣＲから該映像データのフレームレートの半分の時間だけずらした第２のＰＣＲを有する該映像データのデータパケットを含むサブサービスのストリームとを多重化した放送電波を受信し、前記放送電波から前記メインサービスのデータパケットと、前記サブサービスのデータパケットとを分離し、分離されたメインサービスのデータパケットをデコードして前記第１のＰＣＲを有する前記映像データを出力し、分離されたサブサービスのデータパケットをデコードして前記第２のＰＣＲを有する前記映像データを出力し、出力された前記第１のＰＣＲを有する前記映像データと前記第２のＰＣＲを有する前記映像データとを、該第１及び第２のＰＣＲの順に従って交互に出力することを特徴とする。
【０００９】
本発明によるデジタル放送送信機は、第１のＰＣＲを有する映像データのデータパケットを含むメインサービスのストリーム生成する手段と、前記メインサービスのストリームの映像データのデータパケットの有する第１のＰＣＲを、該映像データのフレームレート間隔の半分の時間だけずらして第２のＰＣＲを調整して該第２のＰＣＲを有する該映像データのデータパケットを含むサブサービスのストリームを生成する手段と、前記メインサービス及び前記サブサービスの各ストリームを一つの物理チャンネルに多重化するマルチプレクサと、前記多重化されたストリームから放送電波を生成して送信する送信手段とを有することを特徴とする。
【００１０】
本発明によるデジタル放送送信方法は、第１のＰＣＲを有する映像データのデータパケットを含むメインサービスのストリーム生成し、前記メインサービスのストリームの映像データのデータパケットの第１のＰＣＲを、該映像データのフレームレート間隔の半分の時間だけずらして第２のＰＣＲを調整して該第２のＰＣＲを有する該映像データのデータパケットを含むサブサービスのストリームを生成し、前記メインサービス及び前記サブサービスの各ストリームを一つの物理チャンネルに多重化し、前記多重化されたストリームから放送電波を生成して送信することを特徴とする。
また、本発明によるデジタル放送送受信システムは、上記のデジタル放送受信機と、上記のデジタル放送送信機とを備えたことを特徴とする。
【発明の効果】
【００１１】
本発明によれば、メインサービスとサブサービスの映像データが所定時間ずれたＰＣＲをそれぞれ有するようにし、ＰＣＲ順に管理してメインサービスの映像データとサブサービスの映像データを交互に出力することで、動画像のフレーム間に内挿する補間フレームを受信機側で生成せずに、動画像のフレームに補間フレームを内挿することが可能となる。
【図面の簡単な説明】
【００１２】
【図１】本発明のデジタル放送送信機のシステム構成例である。
【図２】本発明のデジタル放送受信機のシステム構成例である。
【図３】本発明のデジタル放送受信機における、映像のフレームレートを倍にする処理のフローである。
【発明を実施するための形態】
【００１３】
以下、本発明の実施例を詳細に説明する。
図１は、本発明のデジタル放送受信機に対応して使用されるデジタル放送送信機である。送信機１０は、オーディオストリーム生成部１０１、ビデオストリーム生成部１０２、字幕ストリーム生成部１０３、時刻調整部１０４、マルチプレクサ１０５、ストリーム送出部１０６及びアンテナ１０７を備えている。
【００１４】
オーディオストリーム生成部１０１、ビデオストリーム生成部１０２及び字幕ストリーム生成部１０３は、それぞれ生成した音声データ、映像データ及び字幕データの各データパケットに、提示時刻（ＰＴＳ）を付加してメインサービスのストリームを出力する。なお、メインサービスでは一般視聴者向けの番組が提供される。
【００１５】
時刻調整部１０４は、オーディオストリーム生成部１０１、ビデオストリーム生成部１０２及び字幕ストリーム生成部１０３で出力したメインサービスのストリームのデータパケットに含まれる基準クロックであるＰＣＲ（Program Clock Reference）を、時間Ｄだけずれるように調整し、サブサービスのストリームを生成する。ここで「時間Ｄ」は、ビデオストリームのフレームレート間隔の半分とする。ＰＣＲの調整は、サブサービスのストリームが受信機で提示される場合に、その提示時刻がＰＴＳ＋Ｄとなるように行う。
これにより、メインサービスのストリームが、第１のＰＣＲを有する映像データのデータパケットを含むとすると、サブサービスのストリームは、第２のＰＣＲを有する映像データのデータパケットを含むことになる。第２のＰＣＲは、第１のＰＣＲより映像データのフレームレート間隔の半分だけずれている。
メインサービスとサブサービスの時間差がフレームレート間隔の半分のため、フレームレートを向上させる機能がない受信機では、メインサービスとサブサービスでサイマル放送をしているように扱うことができる。
【００１６】
マルチプレクサ１０５は、メインサービス及びサブサービスの各ストリームを一つの物理チャンネルに多重化する。ストリーム送出部１０６は、マルチプレクサ１０５で多重化されたストリームを変調して放送電波を生成する。生成された放送電波はアンテナ１０７から出力される。
【００１７】
図２は、本発明を実現するデジタル放送受信機の構成例である。受信機２０は、アンテナ２０１、チューナ２０２、デマルチプレクサ２０３、第１デコード部２０４、第２デコード部２０５及びビデオフレーム合成部２０６を備えている。なおデコード部は、サービス数の分だけ備えることを可能とする。
【００１８】
図３は、図２の本発明のデジタル放送受信機において、メインサービスとサブサービスを合成し、メインサービスのフレームレートを１５ｆｐｓから３０ｆｐｓにする処理のフローである。
【００１９】
図１のデジタル放送送信機により、メインサービスでは１５ｆｐｓで映像データが出力され、サブサービスではメインサービスより１／１５／２秒だけＰＣＲをずらした映像データが１５ｆｐｓで出力されている。
【００２０】
チューナ２０２は、アンテナ２０１で受信された放送電波からデータパケットを抽出する（３０１）。デマルチプレクサ２０３は、チューナ２０２で抽出されたデータパケットをメインサービス及びサブサービスに分離する（３０２）。また各サービスのデータパケットをオーディオデータ、映像データ及び字幕データに分離する（３０３）。
【００２１】
第１デコード部２０４は、デマルチプレクサ２０３で分離されたメインサービスのストリームをデコードし（３０４）、映像、音声及び字幕の各データを出力する（３０５）。メインサービスの映像データは第１のＰＣＲを有する。第２デコード部２０５は、デマルチプレクサ２０３で分離されたサブサービスのストリームをデコードし（３０６）、映像、音声及び字幕の各データを出力する（３０７）。サブサービスの映像データは第２のＰＣＲを有する。
【００２２】
ビデオフレーム合成部２０６は、第１デコード部２０４と第２デコード部２０５でデコードしたメインサービス及びサブサービスの映像データを、それぞれのもつ第１及び第２のＰＣＲに合せて交互に出力する（３０８、３０９）。交互に出力する方法は、ＰＣＲ順に管理することで行う。第２のＰＣＲは第１のＰＣＲよりもフレームレート間隔の半分の時間だけずれているので、ＰＣＲ順に管理することでメインサービス及びサブサービスの意識することなく１つのサービスとして扱うことができる。音声や字幕の各データはメインサービスのＰＣＲに合せて出力する（３１０）。
【００２３】
以上の方法によると、メインサービスとサブサービスの映像データを交互に出力することで、動画像のフレーム間に内挿する補間フレームを受信機側で生成せずに、動画像のフレームに補間フレームを内挿することが可能となる。
【符号の説明】
【００２４】
１０・・・デジタル放送送信機、１０１・・・オーディオストリーム生成部、１０２・・・ビデオストリーム生成部、１０３・・・字幕ストリーム生成部、１０４・・・時刻調整部、１０５・・・マルチプレクサ、１０６・・・ストリーム送出部、１０７・・・アンテナ、２０ デジタル放送受信機、２０１・・・アンテナ、２０２・・・チューナ、２０３・・・デマルチプレクサ、２０４・・・第１デコード部、２０５・・・第２デコード部、２０６・・・ビデオフレーム合成部
【図１】
2010219907.tif 000003
【図２】
2010219907.tif 000004
【図３】
2010219907.tif 000005